(57)【要約】【課題】  簡易な構成により、レーザ光源素子を冷却する。【解決手段】  複数のレーザ光源素子２ａ〜２ｃをハウジング１１にそれぞれ支持部材２１ａ〜２１ｃを介して取り付けた光源装置２０であって、複数の支持部材は、それらが支持するレーザ光源素子の発熱量の大小に応じて、例えば、支持部材２１ｃ〜２１ａの幅Ｗ１〜Ｗ３を異ならせることで、それらの表面積を大小に設定されている。したがって、レーザ光源素子２ａ〜２ｃの発熱量が大きくなるに応じて、支持部材２１ａ〜２１ｃを介した放熱量が大きくなる。【選択図】  図３
2014115443.tif 000002
【特許請求の範囲】
【請求項１】
複数のレーザ光源素子をハウジングにそれぞれ支持部材を介して取り付けた光源装置において、
前記複数の支持部材は、それらが支持するレーザ光源素子の発熱量の大小に応じて、表面積を大小に設定されていることを特徴とする光源装置。
【請求項２】
請求項１に記載の光源装置において、
前記支持部材は、他の支持部材と厚さを同じくして面積を異ならせて設定されていることを特徴とする光源装置。
【請求項３】
請求項１又は２に記載の光源装置において、
前記複数のレーザ光源素子の内の最大発熱量のレーザ光源素子を、前記ハウジングの端部に配置したことを特徴とする光源装置。
【請求項４】
請求項１又は２に記載の光源装置において、
前記複数のレーザ光源素子の内の最大発熱量のレーザ光源素子を、前記ハウジングの体積が大きい側に配置したことを特徴とする光源装置。
【請求項５】
請求項１又は２に記載の光源装置において、
前記複数のレーザ光源素子の内の最大発熱量のレーザ光源素子を、前記ハウジングの表面積が大きい側に配置したことを特徴とする光源装置。
【請求項６】
請求項１又は２に記載の光源装置において、
前記複数のレーザ光源素子の内の最大発熱量のレーザ光源素子を、前記ハウジングの構造が複雑な部分側に配置したことを特徴とする光源装置。
【請求項７】
請求項３乃至６のいずれか１項に記載の光源装置において、
前記レーザ光源素子は３個以上設けられ、
２番目に大きい発熱量のレーザ光源素子を、前記最大発熱量のレーザ光源素子との間に他のレーザ光源素子を介在させて配置したことを特徴とする光源装置。
【請求項８】
複数のレーザ光源素子をハウジングにそれぞれ支持部材を介して取り付けた光源装置を有し、当該レーザ光源素子が発光した光を走査することにより画像を表示する画像表示装置において、
前記複数の支持部材は、それらが支持するレーザ光源素子の発熱量の大小に応じて、表面積を大小に設定されていることを特徴とする画像表示装置。
【請求項９】
請求項８に記載の画像表示装置において、
前記ハウジングは、前記レーザ光源素子が発光した光を走査する走査ミラーを収容しており、
前記複数のレーザ光源素子の内の最大発熱量のレーザ光源素子を、前記ハウジングの前記走査ミラーを収容する部分側に配置したことを特徴とする画像表示装置。
【発明の詳細な説明】
【技術分野】
【０００１】
本発明は、ハウジングに複数のレーザ光源素子を取り付けた光源装置に関する。
【背景技術】
【０００２】
レーザ光源装置は、種々な装置の光源として利用されるが、例えば、カラー光源を得るために、赤色成分（Ｒ）、緑色成分（Ｇ）、青色成分（Ｂ）のそれぞれのレーザ光源素子をハウジングに取り付けたレーザ光源装置が知られている。
このような光源装置は、例えばレーザプロジェクタに代表されるように、カラーレーザ光を走査して投射面に投射することによって、投射面上に画像を表示する各種の画像表示装置に光源として利用されている。
【０００３】
特許文献１には、レーザーダイオードの稼動時に発生する熱により筐体の温度が上昇して筐体の歪みによる光軸にズレが発生するのを防ぐために、筐体から僅かな空隙を介して宙に浮いた状態にした冷却構造を伝熱構造を支持梁として筐体に固定し、その冷却構造の温度を筐体温度に対して低くして、筐体外周壁に固定した発熱源である光源から発生した熱量を冷却構造に吸上げ、筐体に流れ込む熱量を少なく抑えるプロジェクタが記載されている。
【０００４】
特許文献２には、ヒートシンクと複数の半導体発光素子の本体部との接触面積を大きくすることができ、複数の半導体発光素子の冷却効率を上げることができる光源装置及びプロジェクタを提供するため、光源装置は、複数の半導体発光素子である励起光源と、励起光源の周縁を保持する保持部材である光源保持体と、複数の励起光源のリード端子と電気的に接続させる基板と、励起光源の本体部と当接するヒートシンクと、を備え、励起光源は、各々、底部に対し垂直方向に延伸したリード端子を複数具備し、基板は、その基板の面が複数のリード端子のうち少なくとも２つのリード端子に当接するように、励起光源の底部に対して垂直に配置され、リード端子と電気的に接続されている光源装置及びプロジェクタが記載されている。
【先行技術文献】
【特許文献】
【０００５】
【特許文献１】特開２０１０−１０７７５１号公報
【特許文献２】特開２０１２−９７６０号公報
【発明の概要】
【発明が解決しようとする課題】
【０００６】
光源装置に用いられるレーザ光源素子には、一般的にレーザダイオード（ＬＤ：Laser Diode）と称せられる半導体レーザが用いられるが、このようなレーザ光源素子は発光に応じて発熱することが広く知られている。
また、このようなレーザ光源素子は、その発光量（出力）や発光色などのより、発熱量が異なることも広く知られている。
更に、複数のレーザ光源素子を備えた光源装置では、合成光の色合いなど必要性から、各レーザ光源素子の出力を異ならせることがあり、これによって、各レーザ光源素子の発熱量が異なることもある。
【０００７】
従来では、特別な冷却構造を設ける、或いは、特別なヒートシンクを設けることで、発熱したレーザ光源素子を冷却することが行なわれていたが、光源装置の構造の複雑化や高コスト化を招き、満足のいく対応策ではなかった。
また、従来では、複数のレーザ光源素子間で発熱量が異なるという状況を考慮した対策がなされていなかった。
【０００８】
本発明は、上記従来の事情に鑑みなされたものであり、簡易な構成により、レーザ光源素子を冷却することを目的としている。
【課題を解決するための手段】
【０００９】
本発明は、複数のレーザ光源素子をハウジングにそれぞれ支持部材を介して取り付けた光源装置であって、前記複数の支持部材は、それらが支持するレーザ光源素子の発熱量の大小に応じて、表面積を大小に設定されている。
したがって、レーザ光源素子の発熱量が大きくなるに応じて、支持部材を介した放熱量が大きくなる。
【００１０】
ここで、本発明では、全ての支持部材は厚さを同じくして、これら支持部材の上面や下面の面積を異ならせることで、これら支持部材の表面積を大小に設定するのが好ましく、これによって、レーザ光源素子のハウジングからの突出量を抑えて、光源装置の小型化を図ることができる。
【００１１】
また、本発明では、複数のレーザ光源素子の内の最大発熱量のレーザ光源素子を、ハウジングの端部に配置するのが好ましく、これによって、他のレーザ光源素子からの発熱の影響を少なくして、最大発熱量のレーザ光源素子からの熱を効率よく放熱させることができる。
【００１２】
また、本発明では、複数のレーザ光源素子の内の最大発熱量のレーザ光源素子を、ハウジングの体積が大きい側に配置するのが好ましく、これによって、最大発熱量のレーザ光源素子からの熱を、支持部材を介してハウジングに伝え、ハウジングの熱容量を利用して効率よく冷却させることができる。
【００１３】
また、本発明では、複数のレーザ光源素子の内の最大発熱量のレーザ光源素子を、ハウジングの表面積が大きい側に配置するのが好ましく、これによって、最大発熱量のレーザ光源素子からの熱を、支持部材を介してハウジングに伝え、ハウジング表面からの放熱を利用して効率よく冷却させることができる。
【００１４】
また、本発明では、複数のレーザ光源素子の内の最大発熱量のレーザ光源素子を、ハウジングの構造が複雑な部分側に配置するのが好ましく、これによって、最大発熱量のレーザ光源素子からの熱を、支持部材を介してハウジングに伝え、ハウジングの熱容量や表面からの放熱を利用して効率よく冷却させることができる。
【００１５】
本発明は、２個以上のレーザ光源素子を備えた光源装置に適用されるものであるが、例えば、赤色成分（Ｒ）、緑色成分（Ｇ）、青色成分（Ｂ）といったように、３個以上のレーザ光源素子を備える場合は、２番目に大きい発熱量のレーザ光源素子を、最大発熱量のレーザ光源素子との間に他のレーザ光源素子を介在させて配置するのが好ましく、これによって、比較的高温の熱源を離間させて、全体として効率よく冷却させることができる。
【００１６】
本発明は、上記の光源装置を備えて、レーザ光源素子が発光した光を走査することにより画像を表示する画像表示装置として実現することができ、この場合にも、上記のように支持部材を介した放熱等を利用して、レーザ光源素子を効率よく冷却させることができる。
【００１７】
また、本発明では、ハウジングにレーザ光源素子が発光した光を走査する走査ミラーを収容した画像表示装置として、複数のレーザ光源素子の内の最大発熱量のレーザ光源素子を、ハウジングの走査ミラーを収容する部分側に配置するのが好ましく、これによって、走査ミラーの揺動駆動による空気対流を利用して、ハウジングに伝わった熱を放熱させて、レーザ光源素子を効率よく冷却させることができる。
なお、走査ミラーとしては種々な型式のものを用いることができるが、小型化、低消費電力化、処理の高速化などで有利なＭＥＭＳ(Micro Electro Mechanical System)型の走査ミラーを用いるのが好ましい。
【発明の効果】
【００１８】
本発明によると、簡易な構成により、レーザ光源素子を冷却することができる。
【図面の簡単な説明】
【００１９】
【図１】本発明の一実施形態に係る画像表示装置の要部の構成図である。
【図２】本発明の一実施形態を適用する光源装置の要部の構成図である。
【図３】本発明の一実施形態に係る光源装置のレーザ光源素子の配置を説明する図である。
【図４】本発明の一実施形態に係る光源装置の支持部材の大きさを説明する図である。
【図５】本発明の一実施形態に係るレーザ光源素子の必要出力と性能を説明する図である。
【発明を実施するための形態】
【００２０】
本発明は種々な画像表示装置に適用できるものであるが、ＭＥＭＳミラーを備えたレーザプロジェクタに適用した一実施形態を説明する。
レーザプロジェクタ１は、図１にその要部を示すように、レーザ光源素子２ａ〜２ｃと、各種の光学素子３〜８と、受光素子（ＰＤ：Photo Diode）９と、ＭＥＭＳ走査ミラー１０と、各種の駆動・制御ユニット１２〜１６を主体に構成されている。
【００２１】
レーザプロジェクタ１は、緑色成分（Ｇ）のレーザ光源素子２ａ、青色成分（Ｂ）のレーザ光源素子２ｂ、赤色成分（Ｒ）のレーザ光源素子２ｃがそれぞれ発光した緑、青、赤の各色成分のレーザ光を、光学素子３〜８による光路で合成する。そして、この合成光を走査駆動されるＭＥＭＳ走査ミラー１０が反射することで、スクリーンや壁などの投射面Ａに入力映像信号に応じたカラー画像を走査投影して表示する。
【００２２】
このレーザプロジェクタ１に備えられる光源装置２０は、レーザ光源素子２ａ〜２ｃをハウジング１１に取り付けた構成であり、本例のハウジング１１には、光学素子３〜８、ＰＤ９、ＭＥＭＳ走査ミラー１０が収容されており、ＭＥＭＳ走査ミラー１０が反射したレーザ光はハウジング１１に設けられた窓部１１ａを通して投射面Ａに投射される。
本例のレーザ光源２ａ〜２ｃは、レーザドライバ１６から個別に供給される駆動電流によって互いに独立して駆動するレーザダイオード（ＬＤ）である。
【００２３】
本例では、光路を構成する光学素子３〜５をダイクロイックミラーとしており、ダイクロイックミラー３〜５は、特定波長のレーザ光のみを透過し、それ以外を反射する。
具体的には、レーザ光源素子２ａから射出された緑成分のレーザ光はダイクロイックミラー３において反射され、この緑成分のレーザ光はレーザ光源素子２ｂから射出された青成分のレーザ光とダイクロイックミラー４において合成され、この合成されたレーザ光はレーザ光源素子２ｃから射出された赤成分のレーザ光とダイクロイックミラー５において合成される。
なお、各レーザ光源素子２ａ〜２ｃに対して、レーザ光をダイクロイックミラー３〜５に導くレンズ２ｄが設けられている。
【００２４】
そして、この合成されたレーザ光は、レンズ６で集光され、アパーチャ７で絞られて、ハーフミラー８を介してＭＥＭＳ走査ミラー１０に入射され、走査駆動される走査ミラー１０で反射されて、上記のように投射面Ａに走査投影される。
ハーフミラー８は、入射されたレーザ光の一部を透過させてＰＤ９に入射させ、ＰＤ９が検出した光量はレーザ制御部１５へ入力され、レーザ制御部１５が目標のレーザ出力が得られるように制御を行なう。
【００２５】
なお、図１では、表現の関係から、レンズ６からハーフミラー８を介して走査ミラー１０やＰＤ９へ至る光線と、走査ミラー１０から投射面Ａへ至る光線とが交差しているかのように記載されているが、これら光線は交わらないように図１の紙面に直角な方向にずれている。このような表現は、後述する図２においても同様である。
【００２６】
走査ミラー１０は、走査ミラー制御部１３から駆動信号が入力される走査ミラードライバ１２によって駆動走査されて、自己に入射したレーザ光を、ミラー面の振れ角（振れ幅）に応じて反射して投射面Ａ上に投射する。この走査ミラー１０は、投射面Ａの水平走査方向（Ｘ）および垂直走査方向（Ｙ）に対応した二次元的な自由度を有しており、その二次元的な変位に対応した線順次走査によって、投射面Ａ上にカラー画像を投影する。この線順次走査は、投射面Ａ上におけるある水平走査ラインで一方向にレーザスポットｐを進め、次の水平走査ラインで逆方向にレーザスポットｐを戻すことの繰り返しによって、１画像フレーム内で連続して行われる。
【００２７】
本例のレーザプロジェクタ１は、パーソナルコンピュータ等の外部から入力された映像信号に基づいて、レーザ光を走査ミラー１０により垂直走査及び水平走査して、スクリーンＡにカラー画像を投影表示するものであり、その基本的な画像投影処理は次のようにしてなされる。
映像処理部１４は、入力映像信号（映像信号及び同期信号等）に基づいて、所定の時間間隔で映像データをレーザ制御部１５に転送し、これにより、レーザ制御部１５は所定の走査位置における画素情報を得る。この映像データ転送処理では、映像処理部１４は、走査ミラー制御部１３から水平／垂直同期信号（ＨＳＮＣ、ＶＳＮＣ）として入力される水平走査位置及び垂直走査位置の情報に応じた順序で、映像データをレーザ制御部１５に転送する。
【００２８】
レーザ制御部１５は、映像データの画素情報に基づいて投影範囲に複数の画素からなる映像を投影するために、駆動電流波形信号によりレーザドライバ１６を制御する。
レーザドライバ１６は、レーザ制御部１５による制御に基づいて、各レーザ光源素子２ａ〜２ｃを駆動して発光させる。
各レーザ光源素子２ａ〜２ｃは、レーザドライバ１６から発振しきい値電流以上の電流が供給された場合にレーザ光を発光出力し、供給される電流値が大きくなるに従って光量（輝度）の大きいレーザ光を出力する。また、各レーザ光源素子２ａ〜２ｃは、供給される電流が発振しきい値電流未満の場合には、レーザ光の出力を停止する。
【００２９】
走査ミラー１０は、走査ミラードライバ１２により直交する２軸回りに駆動変位され、そのミラー面を所定の振れ角で走査変位可能な小型の振動ミラー素子であり、反射光をＸ軸方向及びＹ軸方向（水平及び垂直方向）に走査できる。
走査ミラー制御部１３は、水平／垂直同期信号に基づいて、走査ミラードライバ１２を駆動信号により制御する。走査ミラー１０は、走査ミラー制御部１３による制御に基づいて、投影範囲全体にわたってジグザグに水平及び垂直方向で走査変位して、入射されたレーザを反射して、スクリーンＡに画像を投影する。
【００３０】
図２には、本発明の一実施形態を適用する光源装置２０の詳しい構成を示してある。
なお、図３及び図４を参照して後述するように、レーザ光源素子を取付ける支持部材は特徴的な態様とすることができるが、光源装置２０の全体構成を説明するために、図２には、支持部材を特徴的な態様では示していない。
【００３１】
レーザ光源素子２ａ〜２ｃは、ハウジング１１に設けられ、それぞれ支持部材２１ａ〜２１ｃを介してハウジング１１に取り付けられている。
これら支持部材２１ａ〜２１ｃは、公知のように、レーザ光源素子の取付け位置や向きを調整する部材であり、レーザ光源素子２ａ〜２ｃを設計通りの位置や向きでハウジング１１に取付ける。
【００３２】
ハウジング１１には上記のように光学素子３〜８、ＰＤ９、ＭＥＭＳ走査ミラー１０が収容されており、走査ミラー１０を収容する等の関係から、ハウジング１１の光路の下流側部分は、レーザ光源素子２ａ〜２ｃが取付けられる上流側部分より体積が大きい形状となっている。すなわち、レーザ光源素子２ａ〜２ｃが取付けられる上流側部分に比べて、ハウジング１１の光路下流側部分は、表面積が大きくなっており、また、可動部である走査ミラー１０を収容したり、その光路を設定したりすることから、ハウジング自体が入り組んだ複雑な構造となっている。
【００３３】
上記のようにレーザ光源素子２ａ〜２ｃは支持部材２１ａ〜２１ｃを介してハウジング１１に取り付けられているので、レーザ光源素子２ａ〜２ｃが発した熱は支持部材２１ａ〜２１ｃを介してハウジング１１に伝達される。
したがって、レーザ光源素子２ａ〜２ｃが発した熱は、支持部材２１ａ〜２１ｃ自体の吸熱や放熱、そして、ハウジング１１による吸熱や放熱によって、冷却される。
なお、ハウジング１１や支持部材２１ａ〜２１ｃは、合成樹脂や金属などによって成形することができるが、熱伝導性の高い材料であるのが好ましい。
【００３４】
図３には、支持部材２１ａ〜２１ｃの特徴的な態様である形状及び配置を示してあり、図３（ａ）は平面図、図３（ｂ）は正面図である。
すなわち、本発明の一実施態様では、図２に示した支持部材２１ａ〜２１ｃが、図３に示す形状や配置とされる。
【００３５】
レーザ光源素子２ａ〜２ｃは、それら自体の特性やレーザプロジェクタ１の設計上の必要性等から、動作による発熱量が相違する。
例えば、図５に示すように、レーザ光源素子２ａが波長５１５ｎｍの緑色（Ｇ）レーザ光を出力し、レーザ光源素子２ｂが波長４５０ｎｍの青色（Ｂ）レーザ光を出力し、レーザ光源素子２ｃが波長６３８ｎｍの赤色（Ｒ）レーザ光を出力する場合、１ｌｍの白色表示に要する各レーザ光源素子（ＬＤ）の出力は、Ｒレーザ光源素子２ｃ、Ｇレーザ光源素子２ａ、Ｂレーザ光源素子２ｂの順に大きく、それらの発熱量も同様な順である。
【００３６】
また、例えば、図５に示すように、同様な場合に、ＬＤの閾値電流が大きい順は、Ｇレーザ光源素子２ａ、Ｒレーザ光源素子２ｃ、Ｂレーザ光源素子２ｂの順に大きく、それらの発熱量も同様な順である。
また、例えば、図５に示すように、同様な場合に、ＬＤの発光量と電力の変換効率の劣る順は、Ｇレーザ光源素子２ａ、Ｂレーザ光源素子２ｂ、Ｒレーザ光源素子２ｃの順であり、それらの発熱量も同様な順である。
【００３７】
このようにレーザ光源素子２ａ〜２ｃの発熱量に相違があることに対応して、図３に示す例では、支持部材２１ａ〜２１ｃが支持するレーザ光源素子２ａ〜２ｃの発熱量の大小に応じて、支持部材２１ａ〜２１ｃの表面積を大小に設定している。
図３に示す例では、Ｇレーザ光源素子２ａ、Ｒレーザ光源素子２ｃ、Ｂレーザ光源素子２ｂの順で発熱量が大きく、これに従って、支持部材の表面積を、支持部材２１ａ、支持部材２１ｃ、支持部材２１ｂの順で大きくしてある。
【００３８】
これにより、レーザ光源素子が発した熱量が、支持部材により吸熱や放熱される度合い、更には、支持部材を介してハウジングに熱伝達されて吸熱や放熱される度合いは、支持部材の表面積が大きいほど大きくなる。
したがって、発熱量が大きいレーザ光源素子ほど、支持部材やハウジングによる大きな冷却効果が得られる。
【００３９】
ここで、支持部材の表面積を大小に異ならせる方法としては、種々な方法を採用することができ、図３に示す例では、全ての支持部材２１ａ〜２１ｃは厚さＤを同じくし、それぞれの幅Ｗ１〜Ｗ３を異ならせることで面積を異ならせて設定し（Ｗ１＞Ｗ３＞Ｗ２）、これによって、支持部材２１ａ〜２１ｃの表面積を異ならせている。このように、支持部材２１ａ〜２１ｃは厚さを同じくすることにより、支持部材２１ａ〜２１ｃがハウジング１１から突出する程度を抑えることができる。
なお、本発明は、支持部材２１ａ〜２１ｃは厚さを同じとする態様に限定されるものではなく、幅を同じくして厚さを異ならせる、あるいは、幅と厚さを異ならせる、などと言った方法で、支持部材間の表面積を異ならせてもよい。
【００４０】
本例は、上記のようにレーザ光源素子２ａ〜２ｃの発熱量に対応して支持部材２１ａ〜２１ｃの表面積を設定するものであるが、レーザ光源素子２ａ〜２ｃを発熱量に対応してハウジング１１に配置するようにしてもよい。
図４には、発熱量に対応した支持部材２１ａ〜２１ｃの表面積及びレーザ光源素子２ａ〜２ｃの配置例を示してある。なお、図４においても、レーザ光源素子２ａ〜２ｃのハウジング１１に対する位置関係は図１〜図３と同様であり、紙面に対して左側が、ハウジング１１の体積が大きい側であり、走査ミラー１０が収容されている側である。
【００４１】
Ｇ、Ｂ、Ｒのレーザ光源素子２ａ〜２ｃの発熱量がほぼ等しい場合には、図４（ａ）に示すように、支持部材２１ａ〜２１ｃの幅Ｗ１〜Ｗ３を等しくして、それらの表面積を等しく設定すればよい。
これに対して、Ｒ、Ｇ、Ｂの順にレーザ光源素子の発熱量が大きい場合には、同図（ｂ）に示すように、支持部材２１ａ〜２１ｃの厚さを同じくして、支持部材２１ｃの幅Ｗ１を一番大きくし、支持部材２１ａの幅Ｗ３を２番目に大きくし、支持部材２１ｂの幅Ｗ２を一番小さくした関係として、支持部材を２１ｃ、２１ａ、２１ｂの順で表面積が大きくなるように設定する。
【００４２】
そして、図４（ｂ）に示す例では、レーザ光源素子２ａ〜２ｃの内の最大発熱量のレーザ光源素子２ｃをハウジング１１の体積が大きい側に配置して、当該レーザ光源素子２ｃに対するハウジング１１による吸熱及び放熱の効率を高めている。更に、同図（ｂ）に示す例では、２番目に大きい発熱量のレーザ光源素子２１ａを、最大発熱量のレーザ光源素子２１ｃとの間に他のレーザ光源素子２１ｂを介在させて配置しており、比較的大きな発熱量のレーザ光源素子同士を離間させることで、冷却効率を高めている。
【００４３】
このように最大発熱量のレーザ光源素子をハウジングの体積が大きい側に配置する態様は、最大発熱量のレーザ光源素子をハウジング１１の表面積が大きい側に配置する態様と同じ意義を有している。
また、最大発熱量のレーザ光源素子をハウジングの体積が大きい側に配置する態様は、走査ミラー１０を収容することでハウジング１１に体積が大きい側が形成され、また、光路や光学素子等を収容することでハウジング１１に体積が大きい側が形成される本例では、最大発熱量のレーザ光源素子を、ハウジング１１の走査ミラー１０を収容する部分側に配置した態様や、ハウジング１１の構造が複雑な部分側に配置した態様と同じ意義を有している。
【００４４】
また、ＲとＧとのレーザ光源素子の発熱量がほぼ同じで、これらよりＢのレーザ光源素子の発熱量が小さい場合には、図４（ｃ）に示すように、支持部材２１ａ〜２１ｃの厚さを同じくして、支持部材２１ｃの幅Ｗ１と支持部材２１ａの幅Ｗ３とを同じにし、支持部材２１ｂの幅Ｗ２を一番小さくした関係として、表面積が支持部材２１ｃと２１ａとが同じで、支持部材２１ｂがこれらより小さくなるように設定する。
【００４５】
そして、図４（ｃ）に示す例では、レーザ光源素子２ａ〜２ｃの内の最大発熱量のレーザ光源素子（本例では、２ｃ）をハウジング１１の体積が大きい側に配置して、当該レーザ光源素子２ｃに対するハウジング１１による吸熱及び放熱の効率を高めており、また、同様に最大発熱量のレーザ光源素子（本例では、２ａ）をハウジング１１の端部に配置して、当該レーザ光源素子２ａに対するハウジング１１による放熱の効率を高めている。更に、同図（ｃ）に示す例では、２番目に大きい（本例では一番小さい）発熱量のレーザ光源素子２１ｂを、最大発熱量のレーザ光源素子２１ｃと２１ａの間に配置しており、比較的大きな発熱量のレーザ光源素子２１ｃ、２１ａを離間させることで、冷却効率を高めている。
【００４６】
また、Ｇ、Ｒ、Ｂの順にレーザ光源素子の発熱量が大きい場合には、図４（ｄ）に示すように、支持部材２１ａ〜２１ｃの厚さを同じくして、支持部材２１ａの幅Ｗ３を一番大きくし、支持部材２１ｃの幅Ｗ１を２番目に大きくし、支持部材２１ｂの幅Ｗ２を一番小さくした関係として、支持部材を２１ａ、２１ｃ、２１ｂの順で表面積が大きくなるように設定する。
【００４７】
そして、図４（ｄ）に示す例では、レーザ光源素子２ａ〜２ｃの内の最大発熱量のレーザ光源素子２ａをハウジング１１の端部に配置して、当該レーザ光源素子２ａに対するハウジング１１による放熱の効率を高めており、また、２番目に大きい発熱量のレーザ光源素子２１ｃをハウジング１１の体積が大きい側に配置して、当該レーザ光源素子２ｃに対するハウジング１１による吸熱及び放熱の効率を高めている。更に、同図（ｄ）に示す例では、２番目に大きい発熱量のレーザ光源素子２１ｃと最大発熱量のレーザ光源素子２１ａとの間に他の発熱量の小さいレーザ光源素子２１ｂを介在させて配置しており、比較的大きな発熱量のレーザ光源素子を離間させることで、冷却効率を高めている。
【００４８】
上記の例から理解されるように、複数の支持部材２１ａ〜２１ｃを、それらが支持するレーザ光源素子２ａ〜２ｃの発熱量の大小に応じて、表面積を大小に設定することで、レーザ光源素子２ａ〜２ｃの発熱量に応じた効果的な冷却を行なうことができる。更には、レーザ光源素子２ａ〜２ｃを、それらの発熱量の大小に応じてハウジング１１に配置することで、レーザ光源素子２ａ〜２ｃの発熱量に応じた効果的な冷却を行なうことができる。
【００４９】
上記では、複数のレーザ光源素子を横一列に並べて配置した例を説明したが、本発明はこのような配置態様に限定されるのもではなく、例えば、一部のレーザ光源素子を他のレーザ光源素子に対して直角に配置する態様、一部のレーザ光源素子を他のレーザ光源素子に対してハウジングの反対側に配置する態様、などといった種々な配置とすることができる。
また、上記では、互いに色成分が異なる３個のレーザ光源素子をハウジングに設けた例を説明したが、本発明は、このような態様に限定されるのもではなく、例えば、色成分を同じ又は違えた２個或いは４個以上のレーザ光源素子をハウジングに設けた態様など種々な態様とすることができる。
【符号の説明】
【００５０】
１：レーザプロジェクタ、  ２ａ〜２ｃ：レーザ光源素子、
１０：ＭＥＭＳ走査ミラー、  １１：ハウジング、
２０：光源装置、  ２１ａ〜２１ｃ：支持部材、
Ｗ１〜Ｗ３：支持部材の幅、
【図１】
2014115443.tif 000003
【図２】
2014115443.tif 000004
【図３】
2014115443.tif 000005
【図４】
2014115443.tif 000006
【図５】
2014115443.tif 000007